(57)【要約】【課題】発光素子を搭載する領域に対する制約が少なく小型でかつ製造時の歩留まりの低下させることがない発光装置を提供する。【解決手段】第１リードと第２リードと第１リードと第２リードとを電気的に分離して保持する支持部材とを含み、第１リードの表面からなる第１表面と第２リードの表面からなる第２表面と支持部材の表面からなる第３表面とを含む基体上面を有する基体と、第１表面の上に設けられた発光素子と、第２表面の上に設けられ、端子電極を備える保護素子と、第１端部が第１表面に接続され、第２端部が保護素子の端子電極に接続されたワイヤと、基体上面に設けられ、保護素子の少なくとも一部を覆いかつ発光素子及びワイヤの第１端部を囲む樹脂枠と、樹脂枠に囲まれ、発光素子及びワイヤの第１端部を覆う第１樹脂部と、樹脂枠と第１樹脂部とを覆う第２樹脂部と、を含む。【選択図】図１Ａ
2018195622.tif 000002
【特許請求の範囲】
【請求項１】
第１リードと第２リードと前記第１リードと前記第２リードとを電気的に分離して保持する支持部材とを含み、前記第１リードの表面からなる第１表面と前記第２リードの表面からなる第２表面と前記支持部材の表面からなる第３表面とを含む基体上面を有する基体と、
前記第１表面の上に設けられた発光素子と、
前記第２表面の上に設けられ、端子電極を備える保護素子と、
第１端部が前記第１表面に接続され、第２端部が前記保護素子の前記端子電極に接続されたワイヤと、
前記基体上面に設けられ、前記保護素子の少なくとも一部を覆いかつ前記発光素子及び前記ワイヤの前記第１端部を囲む樹脂枠と、
前記樹脂枠に囲まれ、前記発光素子及び前記ワイヤの前記第１端部を覆う第１樹脂部と、
前記樹脂枠と前記第１樹脂部とを覆う第２樹脂部と、
を含む発光装置。
【請求項２】
前記樹脂枠は、前記第１樹脂部及び前記第２樹脂部より硬い樹脂である請求項１に記載の発光装置。
【請求項３】
前記ワイヤの前記第１端部は、ワイヤ径より径の大きいボール形状である請求項１又は２に記載の発光装置。
【請求項４】
前記ワイヤの前記第２端部は、ワイヤ径より薄い形状であり、前記端子電極に設けられたバンプを介して前記端子電極に接続されている請求項１〜３のいずれか１つに記載の発光装置。
【請求項５】
前記保護素子の一部は、前記樹脂枠の外側に位置し、その外側に位置する部分は前記第２樹脂部により覆われている請求項１〜４のいずれか１つに記載の発光装置。
【請求項６】
前記ワイヤの前記第２端部は、前記樹脂枠に埋設されている請求項１〜５のいずれか１つに記載の発光装置。
【請求項７】
前記第１リードの前記第１表面と、前記第２リードの前記第２表面と、前記支持部材の第３表面と、は実質的に同一平面上に位置する請求項１〜６のいずれか１つに記載の発光装置。
【請求項８】
前記第１リードは前記上面と前記下面との間に側面を備え、前記側面が凸部を有する請求項７に記載の発光装置。
【請求項９】
前記樹脂枠は、フェニルシリコーン樹脂を含み、前記第１樹脂部及び前記第２樹脂部はジメチルシリコーン樹脂を含む請求項１〜８のいずれか１つに記載の発光装置。
【請求項１０】
前記樹脂枠の内側に位置する基体上面は、前記第１リードの上面からなる請求項１〜９のいずれか１つに記載の発光装置。
【請求項１１】
前記第２樹脂部は前記第１樹脂部より硬い樹脂である請求項１〜１０のいずれか１つに記載の発光装置。
【請求項１２】
第１リードと第２リードと前記第１リードと前記第２リードとを電気的に分離して保持する支持部材とを含み、前記第１リードの表面からなる第１表面と前記第２リードの表面からなる第２表面と前記支持部材の表面からなる第３表面とを含む基体上面を有する基体を準備する工程と、
前記第１表面の上に、発光素子を載置する工程と、
前記第２表面の上に、端子電極を備える保護素子を載置する工程と、
ワイヤの第１端部を前記第１表面に接続し、前記ワイヤの第２端部を前記保護素子の前記端子電極に接続する工程と、
前記発光素子及び前記ワイヤの前記第１端部を離間して樹脂枠で囲む工程と、
前記発光素子及び前記ワイヤの前記第１端部を第１樹脂部で覆う工程と、
前記樹脂枠と前記第１樹脂部とを第２樹脂部で覆う工程と、
を含む発光装置の製造方法。
【請求項１３】
前記接続する工程において、前記ワイヤの前記第１端部を前記第１表面に接続した後に、前記ワイヤの前記第２端部を前記保護素子の前記端子電極に接続する請求項１２に記載の発光装置の製造方法。
【発明の詳細な説明】
【技術分野】
【０００１】
本発明は、発光装置と発光装置の製造方法に関する。
【背景技術】
【０００２】
発光ダイオード等の発光素子を備えた発光装置は、発光効率が高く小型でかつ長寿命であることから種々の用途に幅広く用いられている。例えば、特許文献１には、第１のリードフレームと第２のリードフレームとが樹脂で一体成型された基台部（基体）と発光素子を備えた発光装置が開示されている。この発光装置では、第１のリードフレームの上に発光素子を搭載し、発光素子と第２のリードフレームとを接続した後、発光素子を基台部上で封止することにより作製される。この特許文献１の発光装置では、発光素子を封止する際に封止樹脂の流れ止め用に、基台部（基体）上に樹脂枠を設けている。特許文献１では、上記構成により、高放熱性、高耐久性の光学半導体装置を低コストで実現できるとされている。また、特許文献１には開示されていないが、発光素子を保護するためにツェナーダイオード等の保護素子を発光素子とともに基台部（基体）に搭載されることがよくある。
【先行技術文献】
【特許文献】
【０００３】
【特許文献１】特開２０１３−２０６８９５号公報
【発明の概要】
【発明が解決しようとする課題】
【０００４】
しかしながら、保護素子を発光素子とともに基台部（基体）に搭載した構造では、保護素子を搭載する領域を確保するために発光素子を搭載する領域が制限されることもあり、小型化に制約がある。また、保護素子を電気的に接続するワイヤの接続強度の向上が求められている。例えば、製造時において保護素子を電気的に接続するワイヤに外力がかかりワイヤが断線し製造時の歩留まりが低下するおそれがある。
【０００５】
そこで、本発明は、保護素子を発光素子とともに基台部（基体）に搭載した構造において、発光素子を搭載する領域に対する制約が少ない小型の発光装置を提供することを目的とする。
本発明はまた、発光素子を搭載する領域に対する制約が少ない小型の発光装置を、歩留まりよく製造することができる発光装置の製造方法を提供することを目的とする。
【課題を解決するための手段】
【０００６】
本発明に係る一実施形態の発光装置は、第１リードと第２リードと前記第１リードと前記第２リードとを電気的に分離して保持する支持部材とを含み、前記第１リードの表面からなる第１表面と前記第２リードの表面からなる第２表面と前記支持部材の表面からなる第３表面とを含む基体上面を有する基体と、前記第１表面の上に設けられた発光素子と、前記第２表面の上に設けられ、端子電極を備える保護素子と、第１端部が前記第１表面に接続され、第２端部が前記保護素子の前記端子電極に接続されたワイヤと、前記基体上面に設けられ、前記保護素子の少なくとも一部を覆いかつ前記発光素子及び前記ワイヤの前記第１端部を囲む樹脂枠と、前記樹脂枠に囲まれ、前記発光素子及び前記ワイヤの前記第１端部を覆う第１樹脂部と、前記樹脂枠と前記第１樹脂部とを覆う第２樹脂部と、を含む。
【０００７】
また、本発明に係る一実施形態の発光装置の製造方法は、第１リードと第２リードと前記第１リードと前記第２リードとを電気的に分離して保持する支持部材とを含み、前記第１リードの表面からなる第１表面と前記第２リードの表面からなる第２表面と前記支持部材の表面からなる第３表面とを含む基体上面を有する基体を準備する工程と、前記第１表面の上に、発光素子を載置する工程と、前記第２表面の上に、端子電極を備える保護素子を載置する工程と、ワイヤの第１端部を前記第１表面に接続し、前記ワイヤの第２端部を前記保護素子の前記端子電極に接続する工程と、前記発光素子及び前記ワイヤの前記第１端部を離間して樹脂枠で囲む工程と、前記発光素子及び前記ワイヤの前記第１端部を第１樹脂部で覆う工程と、前記樹脂枠と前記第１樹脂部とを第２樹脂部で覆う工程と、を含む。
【発明の効果】
【０００８】
以上の本発明に係る一実施形態の発光装置によれば、保護素子を発光素子とともに基台部（基体）に搭載した構造において、発光素子を搭載する領域に対する制約が少ない小型の発光装置を提供することができる。
また、本発明に係る一実施形態の発光装置の製造方法によれば、発光素子を搭載する領域に対する制約が少なく小型の発光装置を、歩留まりよく製造することができる。
【図面の簡単な説明】
【０００９】
【図１Ａ】本発明に係る実施形態の発光装置の構成を示す平面図である。
【図１Ｂ】実施形態の発光装置の断面の一部を拡大して示す部分断面図である。
【図２】実施形態の発光装置の製造方法において、基体１０を作製するために用いるリードフレームの平面図である。
【図３Ａ】図２のリードフレームの一単位領域を拡大して示す平面図である。
【図３Ｂ】図３ＡのＡ−Ａ線についての断面図である。
【図３Ｃ】図３ＡのＢ−Ｂ線についての断面図である。
【図３Ｄ】図３ＡのＣ−Ｃ線についての断面図である。
【図４Ａ】図２のリードフレームに支持部材を形成したときの単位領域の平面図である。
【図４Ｂ】図４ＡのＤ−Ｄ線についての断面図である。
【図４Ｃ】図４ＡのＥ−Ｅ線についての断面図である。
【図４Ｄ】図４Ａの裏面の平面図である。
【図５Ａ】支持部材を形成したリードフレームに発光素子１と保護素子３を実装したときの単位領域の平面図である。
【図５Ｂ】図５ＡのＦ−Ｆ線についての断面図である。
【図６Ａ】実装した発光素子１と保護素子３に配線を施したときの平面図である。
【図６Ｂ】保護素子３に配線を施したときの図５Ｂと同じ部分の断面図である。
【図７Ａ】実装した発光素子１を囲み、保護素子３を覆う樹脂枠２０を形成したときの単位領域の平面図である。
【図７Ｂ】樹脂枠を形成したときの図５Ｂと同じ部分の断面図である。
【図８Ａ】樹脂枠２０の内側に第１樹脂部２１を形成したときの単位領域の平面図である。
【図８Ｂ】第１樹脂部を形成したときの図５Ｂと同じ部分の断面図である。
【発明を実施するための形態】
【００１０】
以下、発明の実施の形態について適宜図面を参照して説明する。ただし、以下に説明する発光装置及び発光装置の製造方法は、本開示の技術思想を具体化するためのものであって、本開示を以下のものに限定しない。また、一の実施形態において説明する内容は、他の実施形態にも適用可能である。他の実施形態において説明した構成のうち同一の名称については同一もしくは同質の部材を示しており、詳細説明を適宜省略する。また、図面が示す部材の大きさ、繰り返しの数や位置関係等は、説明を容易にするため、誇張もしくは省略していることがある。
【００１１】
実施形態．
図１Ａは、本発明に係る実施形態の発光装置の構成を示す平面図である。また、図１Ｂは、実施形態の発光装置の断面の一部を拡大して示す部分断面図である。
実施形態の発光装置は、基体１０と、基体１０上にそれぞれ設けられた発光素子１と保護素子３とを含む。基体１０は、第１リードフレーム（以下、単に第１リードという。）１１と第２リードフレーム（以下、単に第２リードという。）１２と第１リード１１と第２リード１２とを電気的に分離して保持する支持部材１３とを含む。実施形態の発光装置では、２つの発光素子１を含み、その２つの発光素子１は、前記第１リード１１の上面である第１表面１１ｍｓの上に設けられている。尚、発光素子の数は１つでも２つ以上でもよい。また、保護素子３は、第２リード１２の上面である第２表面１２ｍｓの上に設けられている。ここで、基体１０において、第１リード１１の第１表面１１ｍｓと第２リード１２の第２表面１２ｍｓと支持部材の上面である第３表面１３ａとは実質的に同一平面上に位置することが好ましい。このようにすることで、基体１０を薄型にすることができるので、発光装置を薄型化できる。
【００１２】
実施形態の発光装置において、２つの発光素子１のそれぞれは、下面と、ｎ電極とｐ電極とが形成された上面と、を有している。発光素子１の下面が、第１リード１１の第１表面１１ｍｓに接合されて第１リード１１に固定される。また、２つの発光素子１のうちの一方の発光素子１の上面に形成されたｎ電極がワイヤ６により第１リード１１に電気的に接続される。その一方の発光素子１の上面に形成されたｐ電極がワイヤ６により他方の発光素子１のｎ電極に電気的に接続される。さらに、他方の発光素子１のｐ電極がワイヤ６により第２リード１２に電気的に接続される。これにより、基体１０の第１リード１１と第２リード１２の間に、２つの発光素子１が直列に接続される。
【００１３】
実施形態の発光装置において、保護素子３は、例えば、ツェナーダイオードであり、上面にカソード側の端子電極３ａを備え下面にアノード側の端子電極３ｂを備えている。保護素子３は、下面の端子電極３ｂが例えば導電性接着部材８により第２リード１２の第２表面１２ｍｓ上に固定されるとともに第２リード１２に電気的に接続される。また、保護素子３のカソード側の端子電極３ａはワイヤ５により第１リード１１に電気的に接続される。ワイヤ５は、第１端部と、第２端部と、を備える。第１端部とは、第１表面に接続されるワイヤの部分である。第２端部とは、保護素子の端子電極と接続されるワイヤの部分である。基体１０の第１リード１１と第２リード１２の間に、直列に接続された２つの発光素子１と並列に保護素子３が接続される。
【００１４】
また、実施形態の発光装置においては、基体１０の上面に設けられ、保護素子３の少なくとも一部を覆う樹脂枠２０を備えている。樹脂枠２０は、２つの発光素子１と、保護素子３のカソード側の端子電極３ａと第１リード１１とを接続するワイヤ５の第１リード１１側の端部である第１端部５ａと、を囲むように設けられている。さらに、実施形態の発光装置は、第１樹脂部２１と、第２樹脂部２２と、を備えている。第１樹脂部２１は、樹脂枠２０に囲まれ、２つの発光素子１とワイヤ５の第１端部５ａを覆う。第２樹脂部２２は、樹脂枠２０と第１樹脂部２１とを覆う。第１樹脂部２１と第２樹脂部２２とはそれぞれ透光性樹脂からなる。また、第２樹脂部２２は、例えばレンズ形状に形成され、発光装置の配光特性を制御する。
【００１５】
以上ように構成された実施形態の発光装置は、樹脂枠２０が保護素子３の少なくとも一部を覆うように基体１０上に設けられ、保護素子を搭載する領域を確保するために発光素子を搭載する領域が制限されることを抑制できる。また、保護素子３の端子電極３ａと第１リード１１とを接続するワイヤ５の第１端部５ａが、樹脂枠２０に囲まれている。さらに、第１端部５ａが第１樹脂部２１によって覆われている。これにより、第１リード１１と第１端部５ａとの接続信頼性を高くすることができる。このようにすることで、製造時にチャッキング等により外力がかかってもワイヤ５が断線することを抑制できるので、発光装置の歩留まりの低下を抑制できる。
したがって、実施形態の発光装置によれば、保護素子３を発光素子１とともに基体１０の上面に搭載した構造において、小型化が可能でかつ製造時の歩留まりの低下を抑制できる発光装置を提供することができる。
【００１６】
樹脂枠２０は、第１樹脂部２１及び第２樹脂部２２を構成する樹脂より硬い樹脂により構成することが好ましい。実施形態の発光装置では、２つの発光素子１と、ワイヤ５の第１端部５ａを覆う第１樹脂部２１を囲むように樹脂枠２０を設けている。これにより、発光装置の横方向からの力に対しては、第１樹脂部２１と樹脂枠２０との２重構造となっており、横方向からの力に対しては樹脂枠２０の無い構造と比較して発光素子やワイヤにかかる力を低減することができる。
【００１７】
さらに、実施形態の発光装置において、樹脂枠２０を第１樹脂部２１及び第２樹脂部２２を構成する樹脂より硬い樹脂により構成することが好ましい。このように、樹脂枠２０の樹脂を硬くすることにより横方向からの力がかかっても、第１樹脂部２１の変形をより小さくできる。これにより、第１端部５ａに外力がかかることを抑制することができるのでワイヤの断線を抑制することができる。また、樹脂枠２０の樹脂を硬くすることにより、第１樹脂部２１及び第２樹脂部２２としてよりその機能に適した樹脂を選択することが可能になる。
【００１８】
例えば、第１樹脂部２１及び第２樹脂部２２は、透光性が高いこと、その高い透光性を維持するために光による変色が少ないことが必要とされる。そこで、第１樹脂部２１及び第２樹脂部２２を構成する樹脂としては透光性が高く光による変色が少ないことを優先して選択することができる。仮に第１樹脂部２１及び第２樹脂部２２の外力から保護する機能が十分でない場合には樹脂枠２０として硬度の高い樹脂を選択して外力から発光素子やワイヤを保護する機能を補えばよい。
例えば、透光性が高く、かつ光による変色が少なく高い透光性を維持することができる樹脂としてジメチルシリコーン樹脂が挙げられ、ジメチルシリコーン樹脂より硬い樹脂としてフェニルシリコーン樹脂が挙げられる。
【００１９】
第２樹脂部２２は、第１樹脂部２１より硬い樹脂であることが好ましい。このように外側に位置する第２樹脂部２２を第１樹脂部２１より硬い樹脂により構成すると、より効果的に発光素子及びその接続部等を外力から保護することができる。例えば、第１樹脂部２１及び第２樹脂部２２をいずれも透光性が高くかつ光による変色が少ないジメチルシリコーン樹脂により構成し、硬度の異なるジメチルシリコーン樹脂により第１樹脂部２１及び第２樹脂部２２を構成すればよい。例えば、第１樹脂部２１をＪＩＳＫ７２１５に準拠したデュロメータ硬さがＡ２０〜Ａ４０の範囲の硬度のジメチルシリコーン樹脂により構成し、第２樹脂部２２をＪＩＳＫ７２１５に準拠したデュロメータ硬さがＡ５５〜Ａ７０の範囲の硬度のジメチルシリコーン樹脂により構成する。
樹脂枠２０を第１樹脂部２１及び第２樹脂部２２を構成する樹脂より硬い樹脂により構成する場合には、樹脂枠２０を、例えば、ＪＩＳＫ７２１５に準拠したデュロメータ硬さがＤ２８〜Ｄ５３の範囲の硬度のフェニルシリコーン樹脂により構成する。
【００２０】
ワイヤ５の第１端部５ａは、ワイヤ５の径より径が大きいボール形状であることが好ましい。従来からよく使用されるワイヤボンディング技術として、ファーストボンディングをボールボンディングとし、セカンドボンディングをウェッジボンディングとする例えば、金ワイヤを用いたボール／ウェッジボンディングがある。このボール／ウェッジボンディングでは、ボールボンディング部の接合強度は、ウェッジボンディング部の接合強度に比較して弱いことが分かった。そこで、保護素子３の端子電極３ａと第１リード１１とをワイヤ５により接続する際、第１リード１１とワイヤ５の接続をボールボンディング（ファーストボンディング）とする。このボールボンディング部は、第１樹脂部２１と樹脂枠２０との２重構造になっているので、横方向からの力を低減することができる。これにより、ボールボンディング部が第１リードから剥がれることを抑制することができる。
【００２１】
図１Ｂに示すように、ワイヤ５の第２端部５ｂはワイヤ径より薄い形状であり、端子電極３ａに設けられたバンプ４を介して接続されていることが好ましい。保護素子３の上面に形成された端子電極３ａとワイヤ５の接続部は、樹脂枠２０に覆われていて、比較的発光装置の外周部に近い部分に位置する。したがって、第２端部５ｂには横方向の外力がかかりやすい。そこで、保護素子３の上面に形成された端子電極３ａとワイヤ５との接続を、ボールボンディングより接合強度が強いウェッジボンディングにより行って、ワイヤ５の第２端部５ｂはワイヤ径より薄い形状としていることが好ましい。このようにすることで、ワイヤ５と保護素子の端子電極３ａとの接合強度が向上し、ワイヤ５が断線することを抑制することができる。また、このウェッジボンディングは、ボールボンディングに比較して保護素子３にかかる負荷が大きい。そこで、この好ましい形態３では、保護素子３の端子電極３ａの上にバンプ４を形成してそのバンプ４の上にワイヤをウェッジボンディングにより接続することが好ましい。
尚、ウェッジボンディングにより保護素子３の端子電極３ａの上に接続された第２端部５ｂはその接合部を保護するために樹脂枠２０に埋設されていることが好ましい。
【００２２】
樹脂枠２０の内側に位置する基体１０の上面は、第１リード１１の上面のみにより構成されていることが好ましい。このようにすると、例えば、樹脂からなり光の吸収率が高い支持部材１３が樹脂枠２０の内側に露出することがなく、光の取り出し効率を高くできる。
【００２３】
保護素子３の一部は樹脂枠２０の外側に露出していてもよい。樹脂枠２０から露出している保護素子３の一部は第２樹脂部２２により覆われていることが好ましい。例えば、発光装置の外形を矩形とし、その角部に保護素子３を配置して、保護素子３の一部を樹脂枠２０の外側に露出させてその露出させた部分を第２樹脂部２２により覆うようにすると、保護素子３を保護しつつ樹脂枠２０の外形を小さくすることが可能になり、発光装置を小型にできる。
【００２４】
以下、実施形態の発光装置の製造方法について説明する。
実施形態の発光装置の製造方法は、基体準備工程と、発光素子載置工程と、保護素子載置工程と、配線工程と、樹脂枠形成工程と、第１樹脂部形成工程と、第２樹脂部形成工程と、を含む。
以下、実施形態の発光装置の製造方法について工程順に説明する。
【００２５】
１．基体準備工程
ここでは、それぞれ第１リード１１と、第２リード１２、と第１リード１１と第２リード１２とを保持する支持部材１３とを含む複数の基体１０を集合状態で作製する。以下、実施形態の製造方法において、個々の基体１０に対応する部分を単位領域２１０という。
【００２６】
１−１．リードフレーム準備工程
図２に示すように、それぞれ第１リードと第２リードとを含む単位領域２１０が、例えば、８行×８列に繰り返し配置されたリードフレーム２００を準備する。
図２及び図３Ａ〜図３Ｄを参照しながら、リードフレーム２００について詳細に説明する。尚、以降の説明で参照する図３Ａ〜図３Ｄ，図４Ａ〜図４Ｄ，図５Ａ，図６Ａ，図７Ａ及び図８Ａには、単位領域２１０のみを拡大し示している。
【００２７】
リードフレーム２００は、例えば、アルミニウム、鉄、ニッケル、銅、銅合金、ステンレス鋼、インバー合金を含む鉄合金などの金属板を、エッチング、打ち抜き加工、切削加工等により所定の形状に加工することにより作製され。リードフレームの厚みは、例えば、２００μｍ〜３００μｍであり、好ましくは、２３０μｍ〜２８０μｍとする。
【００２８】
第１リード１１は、図３Ａに示すように、例えば、略八角形の平面形状の主要部１１ａと、単位領域２１０の一辺に沿って延びる端子部１１ｂと、主要部１１ａと端子部１１ｂとを繋ぐ連結部１１ｃとを含む。第２リード１２は、図３Ａに示すように、単位領域２１０の前記一辺と対向する辺に沿って延びる端子部１２ｂと、端子部１２ｂの両端部から第１リード１１の主要部１１ａに沿って延びる略三角形の延伸部１２aとを含む。以上のように構成される第２リード１２は、第１リード１１における主要部１１ａの八角形の３辺とほぼ一定の間隔を隔てて配置される。
【００２９】
また、リードフレーム２００は、支持部材１３により支持される。例えば、第１リードの側面及び／又は第２リードの側面に段差（凸部）が形成されることが好ましい。このようにすると、リードフレーム２００と例えば樹脂からなる支持部材１３との密着面積を大きくなりかつ凸部を支持部材１３中にくい込ませることで密着性を向上させることができる。例えば、第１リード１１は、図３Ａ〜図３Ｄに示すように、側面１１ｓｓに５つの凸部１１ｐを有し、第２リード１２は、図３Ａに示すように、側面１２ｓｓに２つの凸部を有する。ここで、第１リード１１において、５つの凸部１１ｐは主要部１１ａの５つの辺に分散して設けられ、第２リード１２において、２つの凸部はそれぞれ延伸部１２aの先端部分に設けられている。尚、図３Ａ〜図３Ｄにおいて、凸部１１ｐを設けることにより窪んだ部分（凹部）には１１ｒの符号を付して示している。また、図３Ａにおいて、２つの凸部を形成して表面から窪んだ凹部には１２ｒの符号を付して示している。さらに、リードフレーム２００の表面は、金、銀、ニッケル、パラジウムおよびそれらの合金などでメッキしてもよい。
【００３０】
１−２．支持部材形成工程
支持部材形成工程では、例えば、樹脂成形により第１リード１１と第２リード１２の間に樹脂を形成することにより第１リード１１と第２リード１２とを支持する支持部材１３を形成する。
支持部材１３は、図４Ａに示すように、第１リード１１と第２リード１２の間に加えて第１リード１１の主要部１１ａの周りを取り囲み、第２リード１２の２つの延伸部１２aの外周側面に延在させて延伸部１２aを外側と内側から支持するように設けられる。さらに、図４Ａに示すように、延伸部１２aにおいて、端子部１２ｂとの連結部分に平面視で内側に窪んだ切り欠き部１２ｃを形成することが好ましい。これにより延伸部１２aをより強固に支持することができる。尚、延伸部１２aの先端部の凹部１２ｒは支持部材１３により覆われており、これにより、第２リード１２の延伸部１２aがより強固に支持される。
【００３１】
この支持部材１３を構成する樹脂成形材料には、例えば、エポキシ樹脂、シリコーン樹脂などの熱硬化性樹脂のほか、液晶ポリマー、ポリフタルアミド樹脂、ポリブチレンテレフタレート（ＰＢＴ）などの熱可塑性樹脂を用いることができる。また、成形材料中に酸化チタンなどの白色顔料などを混合して支持部材１３を形成することにより、支持部材１３の光の反射率を高めることもできる。
【００３２】
以上のようにして、各単位領域２１０においてそれぞれ第１リード１１と第２リード１２とが支持部材１３によって電気的に分離して保持されてなる複数の基体１０を集合状態で作製する。尚、図４Ｄは、支持部材１３を形成した後の基体１０を下面から見たときの平面図である。
【００３３】
２．発光素子載置工程
発光素子１を、図５Ａに示すように、第１リード１１の主要部１１ａ上の所定の位置に載置して固定する。発光素子１は、例えば、シリコーン樹脂により主要部１１ａ上に固定する。発光素子は、窒化物半導体等から構成される既知の半導体発光素子を適用できる。発光素子の発光波長は、可視域（３８０〜７８０ｎｍ）を含め、紫外域から赤外域まで選択することができる。例えば、ピーク波長４３０〜４９０ｎｍの発光素子としては、窒化物半導体を用いることができる。その窒化物半導体としては、ＩｎＸＡｌＹＧａ１−Ｘ−ＹＮ（０≦Ｘ、０≦Ｙ、Ｘ＋Ｙ≦１）等を用いることができる。
【００３４】
３．保護素子載置工程
保護素子３を、図５Ａに示すように、第２リード１２の延伸部１２ａ上の所定の位置に載置して固定する。保護素子３は、例えば、上面にカソード側の端子電極３ａを備え下面にアノード側の端子電極３ｂを備えており、アノード側の端子電極３ｂが延伸部１２ａに電気的に導通するように、例えば、Ａｇを含有したエポキシ樹脂等の導電性接着部材８により延伸部１２ａ上に固定する。
【００３５】
４．配線工程
配線工程では、ワイヤボンディングにより第１リード１１及び第２リード１２間に所定の配線を施す。以下では、２つの発光素子を備えた発光装置を例に説明する。
【００３６】
４−１．発光素子配線工程
発光素子配線工程は、図６Ａに示すように、
２つの発光素子１の一方の発光素子１のｎ電極１ｎと第１リード１１（例えば、主要部１１aと連結部１１ｃの境界付近）とをワイヤ６により接続する第１ボンディングと、
一方の発光素子１のｐ電極１ｐと他方の発光素子１のｎ電極１ｎとをワイヤ６により接続する第２ボンディングと、
他方の発光素子１のｐ電極１ｐと第２リード１２（例えば、２つある延伸部１２ａの保護素子が実装されていない延伸部１２ａ）とをワイヤ６により接続する第３ボンディングと、を含む。
以上の第１〜第３ボンディングにより、第１リード１１と第２リード１２の間に２つの発光素子１が直列に接続される。
【００３７】
この発光素子配線工程では、ボンディングの順序は特に制限はなく、例えば、第１ボンディング、第２ボンディング、第３ボンディングの順に行ってもよいし、第３ボンディング、第２ボンディング、第１ボンディングの順に行ってもよいし、第２ボンディングを最初に行って、その後、第１ボンディング及び第３ボンディングまたは第３ボンディング及び第１ボンディングを行ってもよい。発光素子配線工程では、上述のように、ボンディングの順序はとはないが、発光素子１のｎ電極１ｎ及びｐ電極１ｐに対する接続はボールボンディングにより行うことが好ましく、これによりボンディング時における発光素子１に対する荷重による付加を小さくできる。
【００３８】
４−２．保護素子配線工程
保護素子配線工程では、図６Ａに示すように、延伸部１２ａ上に載置された保護素子３の上面に形成されたカソード側の端子電極３ａをワイヤ５により第１リード１１に接続する。ここでは、例えば、ワイヤ５の一端部である第１端部５ａを第１リード１１の第１表面１１ｍｓ接続した後に、ワイヤ５の他端部である第２端部５ｂを保護素子３の端子電極３ａに接続する。
【００３９】
具体的には、まず、ワイヤ５の一端部である第１端部５ａをボールボンディングにより第１リード１１の第１表面１１ｍｓ（例えば、主要部１１ａの表面）の上に接続する（ファーストボンディング）。次に、ワイヤ５の他端部である第２端部５ｂをウェッジボンディングにより保護素子３の上面に形成された端子電極３ａ上に接続する（セカンドボンディング）。このセカンドボンディングにおけるウェッジボンディングは、ボールボンディングに比較して接合強度を高くできるという利点を有しており、保護素子３を発光装置の外周に近い位置に配置しても高い接続信頼性が得られる。また、本実施形態の発光装置では、保護素子３を発光装置の外周に近い位置に配置できるので、発光素子１を載置する領域を小さくでき、小型化が可能になる。
【００４０】
しかしながら、上述したように、ウェッジボンディングは、ボールボンディングに比較すると荷重による負荷が大きい。したがって、ウェッジボンディングにより端子電極３ａ上に接続する本実施形態の製造方法では、ウェッジボンディングによる保護素子３に対する負荷を軽減するために、例えば、保護素子３の端子電極３ａ上にバンプ４を形成し、そのバンプ４の上にワイヤ５の第２端部５ｂをウェッジボンディングにより接続することが好ましい。
【００４１】
５．樹脂枠形成工程
樹脂枠形成工程では、図７Ａに示すように、少なくとも発光素子１及びワイヤ５の第１端部５ａと囲むように環状に樹脂枠２０を形成する。樹脂枠２０は、発光素子１及びワイヤ５の第１端部５ａから離間して発光素子１及びワイヤ５の第１端部５ａを囲むように形成する。樹脂枠２０は、例えば、ディスペンサーを液状の樹脂を一定量吐出させながら、例えば、主要部１１ａの中心の周りに所定の半径で移動させることにより、樹脂を環状に塗布して乾燥させることにより形成する。
【００４２】
樹脂枠２０は、好ましくは保護素子３の少なくとも一部、より好ましくは保護素子３の端子電極３ａとの接続部であるワイヤ５の第２端部５ｂを埋設するように形成する。これにより、保護素子３の端子電極３ａとワイヤ５の第２端部５ｂとの接続部における接続強度を向上させることができる。また、樹脂枠２０は、発光素子１の配線を構成するワイヤ６と第１リード１１との接続部及びワイヤ６の第２リード１２との接続部を埋設するように形成することが好ましい。これにより、ワイヤ６と第１リード１１との接続部及びワイヤ６の第２リード１２との接続部における接続強度を向上させることができる。ここで、樹脂枠２０は、例えば、ディスペンサーを移動させる主要部１１ａの中心の周りの半径を適宜調整することにより、所望の環状の形状に形成することができる。
【００４３】
樹脂枠２０の幅（基体１０上面における樹脂枠２０の内周と外周間の距離）、樹脂枠の高さ等の断面形状は、ディスペンサーから吐出させる樹脂の粘度、ディスペンサーからの樹脂の吐出量及びディスペンサーを移動させる速度を適宜設定することにより調整できる。
【００４４】
樹脂枠２０の材料としては、フェノール樹脂、エポキシ樹脂、ＢＴレジンやＰＰＡやシリコーン樹脂などが挙げられる。特に、樹脂枠２０の材料としては、耐光性に優れたシリコーン樹脂が好ましく、より好ましくはフェニル系シリコーン樹脂を用いる。フェニル系シリコーン樹脂は、ジメチル系シリコーン樹脂に比較して硬度が高く硬いため、樹脂枠２０で取り囲んだ発光素子１とワイヤ５の第１端部５ａ、及び樹脂枠２０に埋設したワイヤ６と第１リード１１との接続部とワイヤ６の第２リード１２との接続部とに外力が加わるのを抑制でき効果的に保護することができる。樹脂枠２０は、母体となる樹脂に、発光素子１からの光を吸収しにくく、かつ、母体となる樹脂に対する屈折率差の大きい反射部材を含むことが好ましい。このように反射部材を含むと、樹脂枠２０の発光素子１からの光に対する反射率を高くすることができ、発光装置の光取出し効率を高めることができる。
【００４５】
反射部材としては、例えば、酸化チタン、酸化アルミニウム、酸化ジルコニウム、酸化マグネシウムを用いることができる。特に、酸化チタンは、水分などに対して比較的安定でかつ高屈折率であるため好ましい。樹脂枠２０の発光素子１からの光に対する反射率は、好ましくは６０％以上、より好ましくは７０％以上とする。
【００４６】
６．第１樹脂部形成工程
第１樹脂部形成工程では、図８Ａ及び図８Ｂに示すように、樹脂枠２０に囲まれた内側に第１樹脂を充填して硬化させて第１樹脂部２１を形成する。第１樹脂部２１は、樹脂枠２０に囲まれた発光素子１及びワイヤ５の第１端部５ａを第１樹脂部２１内に埋設して封止する。第１樹脂部２１は、例えば、ディスペンサーにより主要部１１ａの中心部から第１樹脂を吐出して樹脂枠２０の内側に充填して硬化させる。ここで、第１樹脂部２１は、例えば、ディスペンサーから吐出させる第１樹脂の粘度及びディスペンサーからの吐出量を調整することにより、第１樹脂の粘度及び吐出量に応じた形状に形成することができる。例えば、図８Ｂには、第１樹脂の粘度及び吐出量を調整することにより、第１樹脂部２１の外周端がほぼ樹脂枠２０の頂上の峰に一致し、その外周端から第１樹脂部２１の中心部に向かって基体１０からの厚さが厚くなるように形成した例を示している。
【００４７】
第１樹脂部２１の樹脂材料としては、ポリカーボネート樹脂、エポキシ樹脂、フェノール樹脂、シリコーン樹脂、アクリル樹脂、ポリメチルペンテン樹脂、ポリノルボルネン樹脂、又はこれらの変性樹脂やこれらの樹脂を１種以上含むハイブリッド樹脂等を用いることができる。特に、第１樹脂部２１の樹脂材料としては、耐光性に優れたシリコーン樹脂が好ましく、より好ましくはより耐光性に優れたジメチル系シリコーン樹脂を用いる。尚、ジメチル系シリコーン樹脂は、フェニル系シリコーン樹脂に比較すると硬度が低く柔らかいが、樹脂枠２０に囲まれていることから、発光素子１及びワイヤ５の第１端部５ａを効果的に外力から十分保護することができる。第１樹脂部２１は波長変換部材を含有していてもよい。波長変換部材とは、発光素子が発する第一ピーク波長の光を、この第一ピーク波長とは波長の異なる第二ピーク波長の光に波長変換する部材である。第１樹脂部２１に波長変換部材を含有させることにより、発光素子が発する第一ピーク波長の光と、波長変換部材が発する第二ピーク波長の光とが混色された混色光を出力することができる。例えば、発光素子に青色ＬＥＤを、波長変換部材にＹＡＧ等の蛍光体を用いれば、青色ＬＥＤの青色光と、この青色光で励起されて蛍光体が発する黄色光とを混合させて得られる白色光を出力する発光装置を構成することができる。
【００４８】
７．第２樹脂部形成工程
第２樹脂部形成工程では、図１Ａ及び図１Ｂに示すように、第２樹脂部２２を、樹脂枠２０および第１樹脂部２１を覆うように形成する。
例えば、第２樹脂部２２は、図１Ａ及び図１Ｂに示すように、
（ａ）第２樹脂部２２の外側に、第１リード１１の端子部１１ｂが発光装置の一辺に沿って露出し、その一辺に対向する辺に沿って第２リード１２の端子部１２ｂが露出するように、かつ
（ｂ）保護素子３が樹脂枠２０から外側に露出している場合には少なくとも露出した保護素子３を覆うように、好ましくは、第２リード１２の延伸部１２ａを実質的に全て覆うように、形成する。
【００４９】
また、第２樹脂部２２は、例えば、トランスファー成形により形成する。具体的には、基体１０の上に、第２樹脂部２２の形状（例えばレンズ形状）空洞を有する上金型を、当該空洞が樹脂枠２０および第１樹脂部２１を覆うように配置し、下金型を、基体１０の、樹脂枠２０の下面に配置して、空洞に第２樹脂部２２を構成する樹脂を注入し、これを硬化させる。
以上のようにして、第２樹脂部２２を形成する。
【００５０】
以上の工程を経て、実施形態の発光装置は製造される。
【符号の説明】
【００５１】
１  発光素子
１ｎ  ｎ電極
１ｐ  ｐ電極
３  保護素子
３ａ  端子電極
３ｂ  端子電極
４  バンプ
５，６  ワイヤ
５ａ  第１端部
５ｂ  第２端部
８  導電性接着部材
１０  基体
１１  第１リード
１１ａ  主要部
１１ｂ  端子部
１１ｃ  連結部
１１ｍｓ  第１表面
１１ｓｓ  側面
１１ｐ  凸部
１１ｒ，１２ｒ  凹部
１２  第２リード
１２ａ  延伸部
１２ｂ  端子部
１２ｍｓ  第２表面
１２ｓｓ  側面
１３  支持部材
１３ａ  第３表面
２０  樹脂枠
２１  第１樹脂部
２２  第２樹脂部
２００  リードフレーム
２１０  単位領域
【図１Ａ】
2018195622.tif 000003
【図１Ｂ】
2018195622.tif 000004
【図２】
2018195622.tif 000005
【図３Ａ】
2018195622.tif 000006
【図３Ｂ】
2018195622.tif 000007
【図３Ｃ】
2018195622.tif 000008
【図３Ｄ】
2018195622.tif 000009
【図４Ａ】
2018195622.tif 000010
【図４Ｂ】
2018195622.tif 000011
【図４Ｃ】
2018195622.tif 000012
【図４Ｄ】
2018195622.tif 000013
【図５Ａ】
2018195622.tif 000014
【図５Ｂ】
2018195622.tif 000015
【図６Ａ】
2018195622.tif 000016
【図６Ｂ】
2018195622.tif 000017
【図７Ａ】
2018195622.tif 000018
【図７Ｂ】
2018195622.tif 000019
【図８Ａ】
2018195622.tif 000020
【図８Ｂ】
2018195622.tif 000021